(57)【要約】      （修正有）【課題】車両や人の通行の妨げにならないように工夫するとともに、蓋パネルを開けた状態で良好に保持し、更には、人が収集用具内に簡単に入ることができ、作業を簡便に行えるゴミ集積用具を提供する。【解決手段】蓋パネル４４，４６を開くと、側面パネル２６，２８との間に設けられた回動連結具５４を回動の支点とするため、側面側に蓋パネル４４，４６が開くようになる。このため、ゴミ収集用具１０の背面側の車両や人の通行を妨げる恐れがない。正面側においては、背面パネル１２と正面パネル３０，３２の間に固定バー２２が渡されているため、背面パネル１２と正面パネル３０，３２との間隔が固定される。このため、集めたゴミの体積や重量によって、正面パネル３０及び３２側が道路側に大きく膨らむのを防ぐことができ、正面側においても通行の妨げにならない。【選択図】図１
0003216396.tif 000002
【実用新案登録請求の範囲】
【請求項１】
ネットをフレームに張設したパネルを複数連結したゴミ集積用具であって、
背面側に設けられている背面パネル，
該背面パネルの左右端側に回動可能に連結された一対の側面パネル，
該一対の側面パネルの他端側に、少なくとも一端が回動可能に連結された正面パネル，
前記背面パネル，側面パネル，正面パネルで構成された囲い枠の上面を覆うとともに、前記背面パネルもしくは側面パネルの一方の上端に回動可能に連結された蓋パネル，
を備えており、
前記側面パネル，正面パネル，蓋パネルが、前記背面パネルに沿って折り畳み可能であることを特徴とするゴミ集積用具。
【請求項２】
前記正面パネルを、観音開き可能に一対設けるとともに、
該一対の正面パネルの相対側を開閉可能に連結する留め具を設け、該相対側と反対側を、前記一対の側面パネルの他端側にそれぞれ回動可能に連結したことを特徴とする請求項１記載のごみ集積用具。
【請求項３】
前記側面パネルの一方が開閉可能となっており、
該側面パネルと前記正面パネルとの相対側に、側面パネルを開閉可能に連結する留め具を設けたことを特徴とする請求項１記載のごみ集積用具。
【請求項４】
前記側面パネルの一方を、一対の分割パネルで構成して観音開き可能とするとともに、
該分割パネルの相対側に、それら分割パネルを開閉可能に連結する留め具を設けたことを特徴とする請求項１記載のごみ集積用具。
【請求項５】
前記正面パネルの膨出を防ぐための補強具を、前記正面パネルと背面パネルとの間に設けたことを特徴とする請求項１〜４のいずれか一項に記載のごみ集積用具。
【請求項６】
前記囲い枠の下面を塞ぐとともに、前記背面パネルの下端に回動可能に連結された底面パネル，
を備えたことを特徴とする請求項１〜５のいずれか一項に記載のゴミ集積用具。
【請求項７】
請求項１〜６のいずれか一項に記載のゴミ集積用具において、蓋パネルを開いた状態で係止するパネルストッパーであって、
前記フレームを挟むことができる略Ｕ字状の腕を、バーの両端にそれぞれ設けたことを特徴とするパネルストッパー。
【考案の詳細な説明】
【技術分野】
【０００１】
本考案は、ごみ収集場所などに集められたゴミやゴミ袋を一時的に保管するためのゴミ集積用具及びパネルストッパーの改良に関するものである。
【背景技術】
【０００２】
ゴミ集積用具の背景技術としては、例えば下記特許文献１に記載の本願出願人による「ゴミ集積用具及びネット」がある。これは、図４に概略を示すように、背面パネル９００，左右側面パネル９０２，９０４，正面パネル９０６からなる囲い枠に、底面パネル９０８と、開閉自在な蓋パネル９１０，９１２を設けた構造となっている。
【０００３】
前記各パネルは全て、金属製のパイプなどで形成されたフレームに、ネットを張設したもので、必要に応じて、ネットの縁をフレームに固定するための固定バーが利用される。フレームとしては、例えば、鉄，ステンレス，アルミニウム，樹脂などを用いることができるが、軽量化を図るという観点からはアルミニウムが好適である。鉄に樹脂コーティングを施すようにしてもよい。
【先行技術文献】
【特許文献】
【０００４】
【特許文献１】実用新案登録第３１４１９２０号
【考案の概要】
【考案が解決しようとする課題】
【０００５】
ところで、ゴミ集積用具の多くは、ゴミの回収作業が容易な道路などに面した公共スペースに設置されているため、使い方によっては、歩行者や車両などの交通の妨げとなるおそれがある。例えば、上述した図４の例では、ガードレール９２０の前にゴミ収集用具が設置されているが、この状態で蓋パネル９１０，９１２を大きく開けて、背面側に倒したとすると、倒された蓋パネル９１０，９１２が車両９２２や人の通行を妨げる恐れがある。
【０００６】
また、ゴミ収集用具が大型化すると、蓋パネル９１０，９１２を開けた状態で係止したいことがあるし、更には、単に蓋パネル９１０，９１２を開けるのみならず、用具内に人が入って作業を行ったほうが便利なこともある。
【０００７】
本考案は、以上の点に着目したもので、その目的は、車両や人の通行の妨げにならないように工夫することである。他の目的は、蓋パネルを開けた状態で良好に保持することである。更に他の目的は、人が収集用具内に簡単に入ることができ、作業を簡便に行えるようにすることである。
【課題を解決するための手段】
【０００８】
本考案のゴミ集積用具は、ネットをフレームに張設したパネルを複数連結したゴミ集積用具であって、背面側に設けられている背面パネル，該背面パネルの左右端側に回動可能に連結された一対の側面パネル，該一対の側面パネルの他端側に、少なくとも一端が回動可能に連結された正面パネル，前記背面パネル，側面パネル，正面パネルで構成された囲い枠の上面を覆うとともに、前記背面パネルもしくは側面パネルの一方の上端に回動可能に連結された蓋パネル，を備えており、前記側面パネル，正面パネル，蓋パネルが、前記背面パネルに沿って折り畳み可能であることを特徴とする。
【０００９】
主要な形態の一つは、前記正面パネルを、観音開き可能に一対設けるとともに、該一対の正面パネルの相対側を開閉可能に連結する留め具を設け、該相対側と反対側を、前記一対の側面パネルの他端側にそれぞれ回動可能に連結したことを特徴とする。他の形態の一つは、前記側面パネルの一方が開閉可能となっており、該側面パネルと前記正面パネルとの相対側に、側面パネルを開閉可能に連結する留め具を設けたことを特徴とする。あるいは、前記側面パネルの一方を、一対の分割パネルで構成して観音開き可能とするとともに、該分割パネルの相対側に、それら分割パネルを開閉可能に連結する留め具を設けたことを特徴とする。
【００１０】
更に他の形態によれば、前記正面パネルの膨出を防ぐための補強具を、前記正面パネルと背面パネルとの間に設けたことを特徴とする。更には、前記囲い枠の下面を塞ぐとともに、前記背面パネルの下端に回動可能に連結された底面パネル，を備えたことを特徴とする。
【００１１】
本考案のパネルストッパーは、前記いずれかのゴミ集積用具において、蓋パネルを開いた状態で係止するパネルストッパーであって、前記フレームを挟むことができる略Ｕ字状の腕を、バーの両端にそれぞれ設けたことを特徴とする。本考案の前記及び他の目的，特徴，利点は、以下の詳細な説明及び添付図面から明瞭になろう。
【考案の効果】
【００１２】
本考案によれば、蓋パネルを側面側に開くようにしたので、背面側の車両や人の通行を妨げる恐れがない。また、パネルストッパーを使用することとしたので、蓋パネルを開いた状態で良好に保持することができる。更に、側面パネルを開閉自在としたり、観音びらきとしたので、人が収集用具内に簡単に入ることができる。
【図面の簡単な説明】
【００１３】
【図１】本考案の実施例１のゴミ集積用具を示す斜視図である。
【図２】本考案の実施例２のパネルストッパーを示す斜視図である。
【図３】本考案の実施例３のゴミ集積用具を示す斜視図である。
【図４】背景技術のゴミ集積用具の一例を示す斜視図である。
【考案を実施するための形態】
【００１４】
以下、本考案を実施するための最良の形態を、実施例に基づいて詳細に説明する。
【実施例１】
【００１５】
最初に、図１を参照しながら、本考案の実施例１について詳細に説明する。図１には、本考案のゴミ集積用具の実施例１の全体構成が示されている。同図(A)は組み立てた状態を示し、同図(B)は蓋パネルを開いた状態を示す。これらの図に示すように、本実施例のゴミ集積用具１０は、背面パネル１２，側面パネル２６及び２８，正面パネル３０及び３２からなる囲い枠に、開閉自在な蓋パネル４４，４６が設けられている。なお、本例では、底面パネルは設けられていないが、前記背景技術のように底面パネルを設けてもよい。ゴミ集積用具１０の下端には、例えば、ゴムなどで形成された脚５２が設けられている。
【００１６】
前記各パネルは全て、金属製のパイプなどで形成されたフレームに、ネット１８を張設したもので、必要に応じて、ネット１８の縁をフレームに固定するための固定バーが利用される。フレームとしては、例えば、鉄，ステンレス，アルミニウムなどを用いることができるが、軽量化を図るという観点からはアルミニウムが好適である。鉄に樹脂コーティングを施すようにしてもよい。ネット１８としては、例えば、強度の高い高密度（ないし超高密度）ポリエチレンで光反射性を有する糸を複数本，例えば１５本前後を撚ったものを使用する。また、ネット１８の網目の大きさは、例えばカラスなどの嘴が入り込むものの、エサをくわえた状態では網目から抜けないような大きさに設定する。
【００１７】
以上のうち、背面パネル１２は、横長の略長方形のフレーム１４にネット１８を張設したもので、前記フレーム１４の長辺を概略２分する位置に、支持バー１６が設けられている。該支持バー１６は、フレーム１４と同様の材質により構成されており、その両端が、フレーム１４にそれぞれ固定されている。該支持バー１６の略中間位置には、後述する正面パネル３０，３２の膨出を抑えるための固定バー２２が、連結具２０を支点として上下に回動可能に取り付けられている。この固定バー２２の他端側は、略Ｌ字状ないし鉤状に折り曲げられた差込部となっている。ここで、固定バー２２は、背面パネル１２と正面パネル３０又は３２間の距離，すなわち、側面パネル２６の幅ないしゴミ集積用具１０の奥行きとほぼ一致する長さに予め設定されている。
【００１８】
このような背面パネル１２の側端には、回動連結具５４によって、それぞれ側面パネル２６，２８が回転可能に連結されており、内外側に折り畳み可能となっている。側面パネル２６，２８の上側には、同じく回動連結具５４を支点として蓋パネル４４，４６が回動可能に連結され、側面パネル２６，２８の正面側の側端には、回動連結具５４を支点として正面パネル３０，３２が回動可能に連結されている。側面パネル２６，２８は、背面側と正面側で同じ高さとしてもよいが、背面側から正面側に向かって低くなるように傾斜を設けるようにしてもよい。
【００１９】
正面パネル３０，３２の相対側には、ハンドル３４とフック３６が設けられており、図示の状態では、ハンドル３４がフック３６に掛けられており、ハンドル３４を回転させてフック３６から外すことで、正面パネル３０，３２の一方もしくは両方を回転することができるようになっている。ハンドル３４とフック３６は、図示の例では、上下に２組設けられている。また、フック３６の中間位置には、上述した背面パネル１２に設けられた固定バー２２の差込部を差し込むための筒状の受部３８が設けられている。固定バー２２を受部３８に差し込むことで、前記ハンドル３４とフック３６による正面パネル３０，３２の相対部位を補強するとともに、正面パネル３０，３２の正面側への膨出を防ぐことができる。
【００２０】
次に、蓋パネル４４，４６は、２枚でゴミ集積用具１０の上面を覆うようなサイズに設定されており、中央の相対側には、開閉するための取手４８，５０がそれぞれ設けられている。また、上述したように、側面パネル２６，２８の上側に回動連結具５４を支点として回動可能に連結されている。
【００２１】
次に、本実施例の作用を説明すると、図１(A)に示す組み立てた状態から、蓋パネル４４，４６を開くと、側面パネル２６，２８との間に設けられた回動連結具５４を回動の支点とするため、同図(B)に示すようになる。すなわち、上述した背景技術のように背面側に開くのではなく、側面側に蓋パネル４４，４６が開くようになる。このため、ゴミ収集用具１０の背面側の車両や人の通行を妨げる恐れがない。一方、正面側においては、背面パネル１２と正面パネル３０，３２の間に固定バー２２が渡されているため、背面パネル１２と正面パネル３０，３２との間隔が固定される。このため、大量のごみ袋を集めた場合でも、集めたゴミの体積や重量によって、正面パネル３０及び３２側が道路側に大きく膨らむのを防ぐことができ、正面側においても通行の妨げにならない。
【００２２】
ゴミ収集用具１０から収集したゴミを取り出すときは、例えば、図１(B)に示すように、蓋パネル４４，４６を開くとともに、正面パネル３０，３２側においてハンドル３４をフック３６から外し、正面パネル３２を外側に観音開きのように開く。このようにすることで、作業者は、用具内に入り込んでゴミの回収作業を行うことができる。
【００２３】
ゴミ集積用具１０が空になったら、更に固定バー２２を差込部２４から外し、各パネルを回動連結具５４を支点として回動させて折り畳むようにする。この折り畳みの様子は、蓋パネル４４，４６の回動方向が異なる以外は、上述した背景技術と同様である。
【００２４】
このように、本実施例によれば、次のような効果が得られる。
（１）蓋パネル４４，４６が、背面側ではなく側面側に開くため、ゴミ収集用具１０の背面側の車両や人の通行を妨げる恐れがない。
（２）背面パネル１２と正面パネル３０，３２の間に固定バー２２が渡されており、正面パネル３０及び３２側の膨出を防ぐことができ、正面側においても通行の妨げにならない。
（３）更に、正面パネル３０，３２を開くことで、人が収集用具内に簡単に入ることができ、作業を簡便に行うことができる。
【００２５】
なお、本実施例において、蓋パネル４４，４６を一枚のパネルで構成するようにしてもよいが、本例のように複数に分けることにより、必要な側の蓋を開けるだけでよく、更に、軽量にもなるため、開閉を楽に行うことができる。また、底面パネルは、必ずしも設ける必要はないが、段差のある場所や砂浜などにゴミ集積用具１０を設置する場合には、ゴミの散乱や設置場所の汚染を防止するために取り付けることが好ましい。
【実施例２】
【００２６】
次に、図２を参照しながら、本考案の実施例２について説明する。同図(A)に示すように、本実施例のパネルストッパー１００は、バー１０２の両端に略Ｕ字状の腕１０４を設けた構造となっている。両端の腕１０４は、上述したゴミ集積用具１０の背面パネル１２，側面パネル２６及び２８，正面パネル３０及び３２，蓋パネル４４及び４６のフレームのパイプを挟むことができる程度の開口となるように形成されている。バー１０２の素材としては、例えばフレームと同様のパイプを使用する。腕１０４の素材としては、各種のものを用いてよいが、フレームを挟んだときに多少開いて押圧するとともに、挟んだフレームから外したときには元の状態に戻るような弾性変形可能な材料を使用するとよい。
【００２７】
このようなパネルストッパー１００は、使用しないときは、図２(B)に点線で示すように、いずれかのパネルのフレームに挟み込んで収納しておく。図示の例では、正面パネル３０の上側に挟み込まれている。そして、使用するときは、パネルストッパー１００を取り外し、持ち上げた蓋パネル４６の正面側のフレームと、正面パネル３２のフレームとの間に、それらフレームを腕１０４が挟むように、立て掛けて差し込むようにする。これにより、持ち上げた蓋パネル４６が落下しないように係止して保持することができ、ゴミをゴミ集積用具１０内に入れたり、逆にゴミ集積用具１０から取り出す作業を円滑に行うことができる。蓋パネル４４についても同様である。
【００２８】
図２(C)は、上述した背景技術に本実施例を適用したもので、蓋パネル４４Ａ，４６Ａが背面側に開くようになっている。このような場合にも、本実施例のパネルストッパー１００を適用することができる。図示の例では、蓋パネル４６Ａと側面パネル２８との間に、パネルストッパー１００が立て掛けて差し込まれている。
【実施例３】
【００２９】
次に、図３を参照しながら、本考案の実施例３について説明する。上述した実施例では、正面パネル３０，３２のハンドル３４をフック３６から外して、正面パネル３０，３２を開いたり、折り畳んだりしたが、本実施例では、側面パネルの一方もしくは両方を開閉できるようにした例である。
【００３０】
まず、図３(A)の例から説明すると、ゴミ集積用具２００は、背面パネル２１０，左右の側面パネル２２０及び２３０，正面パネル２４０からなる囲い枠に、開閉自在な蓋パネル２５０，２５２を設けた構成となっている。背面パネル２１０，正面パネル２４０の中央付近には、中間バー２１２，２４２がそれぞれ設けられている。各パネルは、回動連結具２６０によって回動可能に接続されており、床側には、ゴムなどによる脚２６２が適宜の間隔で複数設けられている。本実施例では、蓋パネル２５０，２５２は、正面側から背面側に向かって開くようになっている。底面パネルは設けられていないが、前記背景技術のように底面パネルを設けてもよい。各パネルには、ネットが張設されている。
【００３１】
本実施例では、側面パネル２２０が正面パネル２４０に対して開閉可能となっており、側面パネル２２０と正面パネル２４０の相対部位に、ハンドル２７０とフック２７２がそれぞれ設けられている。側面パネル２２０を開くときは、ハンドル２７０をフック２７２から外すようにすると、図示の状態となる。このようにすることで、側面からゴミ集積用具２００内にゴミを入れることができる。また、蓋パネル２５０も開くようにすれば、作業者がゴミ集積用具２００内に入り込むことができる。
【００３２】
同図(B)のゴミ集積用具３００は、同図(A)の側面パネル２２０を、一対の分割パネル３２０Ａ，３２０Ｂで構成し、観音開きとなるように構成した例で、ハンドル３７０をフック３７２から外すことで、同図に示すように、分割パネル３２０Ａ，３２０Ｂが開いた状態となる。なお、同図(A)，(B)のいずれにおいても、反対側の側面パネル２３０を開閉自在としてもよいし、両方の側面パネルを開閉自在としてもよい。
【００３３】
本考案には数多くの実施例があり、以上の開示に基づいて多様に改変することが可能である。例えば、次のようなものも含まれる。
(1)上述した実施例を構成する各部の材料としては各種のものが知られており、そのいずれのものを用いてもよい。また、各部の大きさ，形状も一例であり、必要に応じて適宜変更してよい。図１のゴミ集積用具の寸法例を示すと、横幅：1880mm，背面側の高さ（深さ）：900mm，正面側の高さ：750mm，正面から背面までの奥行き：800mm，である。図２のパネルストッパーの寸法例を示すと、長さ：410mm，腕の高さ：88mm，である。図１〜図３に示した例の蓋パネルを一つとした横幅とする、蓋パネルを三つとした横幅とするなども可能である。
(2)色彩や模様になどについても同様に適宜変更可能である。例えば、ネットの色は、糸を着色することで適宜変更可能であるが、視認性の高い緑色や黄色とすることで、通行人や車両などの注意を引いて、更に交通の安全を図るようにしてよい。更に、ネットを光反射性としたり、蓄光性，蛍光性を有する糸を使用するようにしてもよい。
(3)前記実施例では、ハンドルとフックによって留め具としたが、公知の各種の構造としてよい。例えば、チェーン，紐，面ファスナーなどを使用してよい。
(4)ネットやフレームに防カビ効果，防臭効果，消臭効果を持たせるようにしてもよい。また、フレームを構成するパイプの中に芳香剤などを入れるとともに、フレームに放香用の孔などを設けるようにしてもよいし、その香りも季節ごとに変えるようにしてもよい。
(5)上述した実施例では、ゴミ集積用具の下端にゴムなどで構成された脚を設けることとしたが、キャスタを設けて全体の移動を行うようにしてもよい。また、例えば、カラスが磁気に弱いという点を利用して、ネットやフレームの適宜箇所に磁石などを設けるようにしてもよい。
(6)前記実施例を組み合わせてもよい。例えば、図１に示した固定バー２２を、他の実施例に追加してもよい。
(7)本考案の適用対象のゴミとしては、各種の廃棄物や処分品なども含まれる。
【産業上の利用可能性】
【００３４】
本考案によれば、蓋パネルを側面側に開くようにしたので、背面側の車両や人の通行を妨げる恐れがなく、また、パネルストッパーを使用することしたので、蓋パネルを開けた状態で良好に保持することができ、更に、側面パネルを開閉自在としたり、観音びらきとしたので、人が収集用具内に簡単に入ることができ、ゴミや廃棄物などの収集・集積に好適である。
【符号の説明】
【００３５】
１０：ゴミ集積用具
１２：背面パネル
１４：フレーム
１６：支持バー
１８：ネット
２０：連結具
２２：固定バー
２４：差込部
２６，２８：側面パネル
３０，３２：正面パネル
３４：ハンドル
３６：フック
３８：受部
４４，４６：蓋パネル
４４Ａ，４６Ａ：蓋パネル
４８，５０：取手
５２：脚
５４：回動連結具
１００：パネルストッパー
１０２：バー
１０４：腕
２００：ゴミ集積用具
２１０：背面パネル
２１２，２４２：中間バー
２２０：側面パネル
２３０：側面パネル
２４０：正面パネル
２５０，２５２：蓋パネル
２６０：回動連結具
２６２：脚
２７０：ハンドル
２７２：フック
３００：ゴミ集積用具
３２０Ａ，３２０Ｂ：分割パネル
３７０：ハンドル
３７２：フック
９００：背面パネル
９０２，９０４：左右側面パネル
９０６：正面パネル
９０８：底面パネル
９１０，９１２：蓋パネル
９２０：ガードレール
９２２：車両
【図１】
0003216396.tif 000003
【図２】
0003216396.tif 000004
【図３】
0003216396.tif 000005
【図４】
0003216396.tif 000006